(57)【要約】【課題】天井等への発光部の取付作業を容易に行えるとともに、最小限の部品のみを交換すればよく、無駄な廃棄部品を少なくしたＥＬ照明装置を提供する。【解決手段】ブラケット２と、ブラケット２に着脱可能に連結されるアダプタ３と、アダプタ３に着脱可能に取り付けられる発光部４とを有し、アダプタ３はブラケットに連結される連結端子１０，１１、交流／直流変換用の電源変換部１１、および正負の各給電電極１２，１３を有し、発光部４は、一方端面側にＥＬ発光体１７が配設され、他方端面側の略中央にアダプタ３の差込穴１６ａが形成されるとともに、この差込穴１６ａ内に差し込まれたアダプタ３に対して発光部４を着脱可能に係止する係止機構１８と、各給電電極１２，１３に接続される受電端子２１，２２とを備える。【選択図】図１
2009129766.tif 000002
【特許請求の範囲】
【請求項１】
天井等の壁面に固定されるブラケットと、このブラケットに着脱可能に連結されるアダプタと、このアダプタに着脱可能に取り付けられる発光部とを有し、
前記アダプタは、前記ブラケットに機械的および電気的に連結される連結端子が設けられるとともに、交流／直流変換用の電源変換部、およびこの電源変換部に電気的に接続された正側と負側の各給電電極を有する一方、
前記発光部は、一方端面側にパネル状のＥＬ発光体が配設され、また、他方端面側の略中央に前記アダプタの差込用の差込穴が形成されるとともに、この差込穴内に差し込まれたアダプタに対して当該発光部を着脱可能に係止するための係止機構と、この係止機構による係止状態において前記各給電電極に対して電気的に接続される受電端子と、が設けられていることを特徴とするＥＬ照明装置。
【請求項２】
前記係止機構は、前記アダプタの外周部に形成された係合凹部に対して嵌合されるロック部材と、このロック部材を前記係止凹部に向けて付勢する付勢部材とを含むことを特徴とする請求項１記載のＥＬ照明装置。
【請求項３】
前記各給電電極は、前記アダプタの軸心方向に直交する面内において、互いに対向配置されていることを特徴とする請求項１または請求項２に記載のＥＬ照明装置。
【請求項４】
前記アダプタには、リモコン送信器からのリモコン信号を受信するリモコン受信部が設けられていることを特徴とする請求項１ないし請求項３のいずれか１項に記載のＥＬ照明装置。
【請求項５】
前記差込穴は、前記ＥＬ発光体を保持するフレームを貫通して形成される一方、前記アダプタには前記差込穴を通過して外部に露出した箇所に前記リモコン受信部が設けられるとともに、補助照明用のＥＬ発光体が配置されていることを特徴とする請求項４記載のＥＬ照明装置。
【発明の詳細な説明】
【技術分野】
【０００１】
本発明は、面状に発光するＥＬ発光体を備えたＥＬ照明装置に関するものである。
【背景技術】
【０００２】
近年、ＥＬ（Ｅｌｅｃｔｒｏ  Ｌｕｍｉｎｅｓｃｅｎｃｅ）現象を利用したパネル状のＥＬ発光体を面状光源として使用したものが提案されている。このＥＬ発光体は、ガラス基板の上に透明電極層、発光層、金属膜等からなる背面電極層が順次積層されており、上下の電極層間に電力が供給されることにより発光層の全領域が略均一に発光するようになっている。したがって、このようなパネル状のＥＬ発光体の複数枚を組み合わせたＥＬ照明装置は、従来のものに比べて均一な輝度で、かつ大面積を照明できるものとして期待されている。
【０００３】
ところで、このようなＥＬ照明装置を天井や壁等の壁面に取り付ける場合、通常のシーリングライトと同様、壁面に予めブラケットを固定する一方、ＥＬ発光体を保持するフレームの裏面側に取付固定部を一体連結して設け、この取付固定部をブラケットに係合することで、ＥＬ照明装置を壁面に取付固定する構成が考えられる。
【０００４】
このような構成の場合、作業者が上向き状態でフレームを支持しながら取付固定部をブラケットに係合させる必要が生じるが、フレームに設けた取付固定部の位置は、フレーム自体やＥＬ発光体に遮られて直接視認し難いため、取付固定部に対するブラケットの位置を的確に把握することが難しくて両者を係合させることが容易でなく、取付作業に手間取るという不都合を生じる。
【０００５】
そこで、従来技術では、ＥＬ発光体を構成する金属電極層の一部を切り欠いて透視窓を形成し、この透視窓を通してフレームの裏面側の取付固定部が視認できる構成とし、ＥＬ照明装置を天井等の壁面に取り付ける際には、ＥＬ発光体に形成した透視窓を通して取付固定部を視認しながらブラケットに係合できるようにして、ＥＬ照明装置の取付作業を行えるようにしたものが提案されている（例えば、下記の特許文献１参照）。
【特許文献１】特開２００７−１７３０５３号公報
【発明の開示】
【発明が解決しようとする課題】
【０００６】
しかしながら、上記の特許文献１記載の従来技術の場合、ＥＬ発光体に形成した透視窓を通してフレームの裏面側の取付固定部を十分に視認できるように、透視窓の口径を大きくすると、非発光部分の面積が増加して発光輝度が損なわれるとともに、見栄えも悪くなるという不具合を生じる。したがって、透視窓の口径をみだりに拡大することはできず、有る程度まで小さくせざるを得ないので、透視窓を通してフレームの裏面側の取付固定部を十分に視認することが困難で、依然として取付作業に手間取ることになる。
【０００７】
しかも、従来では、取付固定部がＥＬ発光体を保持するフレームに一体に連結された構成となっているため、ＥＬ発光体が寿命に至ったときには、取付固定部を含めて器具全体を一括交換する必要があり、廃棄部品が増加して地球環境上も好ましくない事態を生じる。
【０００８】
本発明は、上記の課題を解決するためになされたもので、ＥＬ発光体の発光輝度を損なうことなく、天井や壁等の壁面への取付作業を容易に行えるとともに、ＥＬ発光体が寿命に至ったときには最小限の部品のみを交換すればよく、無駄な廃棄部品を少なくしたＥＬ照明装置を提供することを目的とする。
【課題を解決するための手段】
【０００９】
上記の目的を達成するために、本発明の請求項１記載のＥＬ照明装置は、天井等の壁面に固定されるブラケットと、このブラケットに着脱可能に連結されるアダプタと、このアダプタに着脱可能に取り付けられる発光部とを有し、前記アダプタは、前記ブラケットに機械的および電気的に連結される連結端子が設けられるとともに、交流／直流変換用の電源変換部、およびこの電源変換部に電気的に接続された正側と負側の各給電電極を有し、前記発光部は、一方端面側にパネル状のＥＬ発光体が配設され、また、他方端面側の略中央に前記アダプタの差込用の差込穴が形成されるとともに、この差込穴内に差し込まれたアダプタに対して当該発光部を着脱可能に係止するための係止機構と、この係止機構による係止状態において前記各給電電極に対して電気的に接続される受電端子と、が設けられていることを特徴としている。
【００１０】
また、請求項２記載のＥＬ照明装置は、請求項１記載の発明の構成において、前記係止機構は、前記アダプタの外周部に形成された係合凹部に対して嵌合されるロック部材と、このロック部材を前記係止凹部に向けて付勢する付勢部材とを含むことを特徴としている。
【００１１】
また、請求項３記載のＥＬ照明装置は、請求項１または請求項２に記載の発明の構成において、前記各給電電極は、前記アダプタの軸心方向に直交する面内において、互いに対向配置されていることを特徴としている。
【００１２】
また、請求項４記載のＥＬ照明装置は、請求項１ないし請求項３のいずれか１項に記載の発明の構成において、前記アダプタには、リモコン送信器からのリモコン信号を受信するリモコン受信部が設けられていることを特徴としている。
【００１３】
請求項５記載のＥＬ照明装置は、請求項４記載の発明の構成において、前記差込穴は、前記ＥＬ発光体を保持するフレームを貫通して形成される一方、前記アダプタには前記差込穴を通過して外部に露出した箇所に前記リモコン受信部が設けられるとともに、補助照明用のＥＬ発光体が配置されていることを特徴としている。
【発明の効果】
【００１４】
請求項１記載の発明によれば、発光部の差込穴にアダプタを差し込むと、発光部に設けた係止機構によって当該発光部がアダプタに係止されるとともに、アダプタの各給電電極に対して発光部の受電端子が電気的に接続される。このため、発光部をアダプタに極めて簡単に取り付けることができ、取付作業の手間が削減される。しかも、発光部のＥＬ発光体に透過窓を形成する必要がないので、ＥＬ発光体の発光輝度を損なうこともない。さらに、ＥＬ発光体が寿命に至ったときに発光部のみをアダプタから取り外して交換すればよく、アダプタまで交換する必要がないので、最小限の部品の交換のみで済み、無駄な廃棄部品を少なくすることができ、地球環境上も好ましい。
【００１５】
請求項２記載の発明によれば、ロック部材と付勢部材とからなる簡単な構成の係止機構によって差込穴内に差し込まれたアダプタに対して発光部を着脱可能に係止することができるため、余分なコストアップを招来することなく、発光部の交換作業を容易に行うことができる。
【００１６】
請求項３記載の発明によれば、各給電電極は、前記アダプタの軸心方向に直交する面内において、互いに対向配置されているので、アダプタの軸心方向の長さを短尺化することができ、アダプタの小型化を図ることができる。
【００１７】
請求項４記載の発明によれば、アダプタにはリモコン受信部が設けられているので、リモコン送信器からのリモコン信号によって発光部の点灯、消灯、調光を遠隔操作することが可能で利便性が高まる。
【００１８】
請求項５記載の発明によれば、差込穴はＥＬ発光体を保持するフレームを貫通して形成されているので、発光部をアダプタに一層簡単に装着することができる。また、リモコン信号によって発光部の点灯、消灯、調光を遠隔操作できるだけでなく、補助照明用のＥＬ発光体をナツメ球のように使用できるので便利である。
【発明を実施するための最良の形態】
【００１９】
以下、本発明の実施の形態について、図面を参照して詳しく説明する。
【００２０】
（実施の形態１）
図１は本発明の実施の形態１におけるＥＬ照明装置の断面図、図２は同装置の一部を拡大して示す断面図である。この実施の形態１のＥＬ照明装置は、天井等の壁面１に固定されるブラケット２と、このブラケット２に着脱可能に連結されるアダプタ３と、このアダプタ３に着脱可能に取り付けられる発光部４とを有する。上記のブラケット２は、ケース７がねじ等で壁面に固定され、また、ケース７内に商用交流電源に電気的に接続された給電端子８が設けられている。
【００２１】
アダプタ３は、例えば絶縁樹脂等でできたベース９を備え、ベース９の上部にはブラケット２の給電端子８に機械的および電気的に連結される一対の連結端子（栓刃）１０が突設され、また、ベース９の外周部には後述のロック部材１９が係合される係合凹部９ａが形成され、さらに、安全性を考慮してベース９の内部に交流／直流変換用の電源変換部１１、および正側と負側の各給電電極１２，１３が設けられている。そして、各給電電極１２，１３は、ベース９の係止凹部９ａに位置する箇所に形成された挿入孔９ｂを通じて外方に露出されている。また、各連結端子１０は電源変換部１１に、この電源変換部１１は各給電電極１２，１３に順次電気的に接続されている。
【００２２】
発光部４は、フレーム１６の下端面側に、パネル状のＥＬ発光体（例えば有機ＥＬモジュール）１７の複数枚が取り付けられている。なお、発光部４の大きさによっては、ＥＬ発光体１７は単一のものであってもよい。一方、発光部４のフレーム１６の上端面側の略中央にはアダプタ３の差込用の差込穴１６ａが形成されている。
【００２３】
さらに、この発光部４は、差込穴１６ａ内に差し込まれたアダプタ３に対して当該発光部４を着脱可能に係止するための係止機構１８を備えている。この係止機構１８は、ベース９の外周の係合凹部９ａに対して嵌合される左右一対のロック部材１９と、各ロック部材１９を係止凹部９ａに向けて付勢する付勢部材２０とを含む。
【００２４】
各ロック部材１９は、フレーム１６の上部に形成されたスライド用長穴１６ｂを通してフレーム外部の左右に引き出された操作部１９ａと、ベース９の係合凹部９ａと係合する突起部１９ｂとを有し、各突起部１９ｂには内方に向けて各受電端子２１，２２が個別に突設されている。また、付勢部材２０は、本例では左右一対の圧縮ばねからなるものでフレーム１６の内壁とロック部材１９との間に介在されている。
【００２５】
上記構成において、例えばＥＬ発光体１７が寿命に至ったために発光部４をアダプタ３から取り外して交換する必要が生じた場合には、ロック部材１９の操作部１９ａを操作して付勢部材２０の付勢力に抗して各ロック部材１９をスライドさせ、突起部１９ｂを係止凹部９ａから離間させる。すると、各受電端子２１，２２も挿入孔９ｂから離脱するので、この状態で発光部４全体を引き下げることで、発光部４がアダプタ３から外れる。
【００２６】
一方、発光部４をアダプタ３に取り付けるには、ロック部材１９の操作部１９ａを操作して付勢部材２０の付勢力に抗して両ロック部材１９の間隔を押し広げた状態にして発光部４の差込穴１６ａからアダプタ３を十分に差し込んだ後、ロック部材１９の操作部１９ａから手を離す。すると、付勢部材２０の付勢力によってロック部材１９の突起部１９ｂが係止凹部９ａに嵌合されるので、発光部４がアダプタ３に係止される。
【００２７】
その際、各受電端子２１，２２も挿入孔９ｂに挿通されて給電電極１２，１３に電気的に接続される。すなわち、正側の給電電極１２が一方の受電端子２１に接続されたときには、負側の給電電極１３が他方の受電端子２２に接続される。なお、発光部４の取り付け状態が左右逆になっても、その電気的接続状態は同じである。
【００２８】
このように、この実施の形態１では、発光部４をアダプタ３に極めて簡単に取り付けることができ、取付作業の手間が削減される。しかも、従来のように発光部４のＥＬ発光体１７に透過窓を形成する必要がないので、ＥＬ発光体１７の発光輝度を損なうこともない。一方、ＥＬ発光体１７が寿命に至ったときには、発光部４のみをアダプタ３から取り外して交換すればよく、アダプタ３まで一括交換する必要がないので、最小限の部品の交換のみで済み、無駄な廃棄部品を少なくすることができ、地球環境上も好ましい。
【００２９】
（実施の形態２）
図３は本発明の実施の形態２におけるＥＬ照明装置の断面図であり、図１および図２に示した実施の形態１と対応する構成部分には同一の符号を付す。この実施の形態２におけるＥＬ照明装置では、各給電電極１２，１３がアダプタ３の軸心方向に直交する面内において互いに対向配置されている。このようにすると、各給電電極１２，１３の重なりが無くなるので、アダプタ３の軸心方向の長さを短尺化することができ、アダプタ３の小型化を図ることができる。
【００３０】
この場合も発光部４の差込穴１６ａにアダプタ３を差し込むと、各受電端子２１，２２が給電電極１２，１３に電気的に接続されるが、給電電極１２，１３は互いに対向配置されているので、図示のように、正側の給電電極１２が一方の受電端子２１に接続されたときには、負側の給電電極１３が他方の受電端子２２に接続されるが、発光部４の取り付け位置が左右逆になると、正側の給電電極１２に他方の受電端子２２に接続され、また負側の給電電極１３に一方の受電端子２１に接続されて、ＥＬ発光体１７に逆極性の電圧が印加されてしまう恐れがある。
【００３１】
そこで、この実施の形態２では、受電端子２１，２２と各ＥＬ発光体１７との間に全波整流用のダイオードブリッジ回路２７を設けてこのような不都合が生じるのを防止している。なお、発光部４の位置決め用の突起をアダプタ３とロック部材に設けて発光部４の取り付け位置が左右逆になるのを防止する対策を講じることが好ましい。その他の構成、および作用効果は、実施の形態１の場合と同様であるから、ここでは詳しい説明は省略する。
【００３２】
（実施の形態３）
図４は本発明の実施の形態３におけるＥＬ照明装置の断面図であり、図１および図２に示した実施の形態１と対応する構成部分には同一の符号を付す。この実施の形態３のＥＬ照明装置は、アダプタ３の下端部に図外のリモコン送信器から送信される赤外線等のリモコン信号を受信するリモコン受信部２３が設けられている。そのため、発光部４のフレーム１６のリモコン受信部２３と対面する箇所は、リモコン信号が通過するように通過孔１６ｃが形成され、また、その直下のＥＬ発光体１７は、リモコン信号が透過するように例えば背面電極層に代えて透明電極が形成されている。
【００３３】
なお、このようにアダプタ３の下端部にリモコン受信部２３を設ける代わりに、アダプタ３の外周部の発光部４よりも外方に突出した箇所にリモコン受信部２３を設けることもできる。この場合でも、各ＥＬ発光体１７は直流点灯されるため、蛍光灯のように数十ＫＨｚで高周波点灯されるものとは異なり、信号干渉が起きないので、赤外線等のリモコン信号をリモコン受信部２３で十分に受信することが可能である。
【００３４】
このように、この実施の形態３では、アダプタ３にはリモコン受信部２３が設けられているので、リモコン送信器からのリモコン信号によって発光部４の点灯、消灯、調光を遠隔操作することが可能となり、利便性が高まる。なお、その他の構成、および作用効果は、実施の形態１の場合と同様であるから、ここでは詳しい説明は省略する。
【００３５】
（実施の形態４）
図５は本発明の実施の形態４におけるＥＬ照明装置の断面図であり、図１および図２に示した実施の形態１と対応する構成部分には同一の符号を付す。この実施の形態４のＥＬ照明装置は、フレーム１６の上下にそれぞれ同じ口径を有する差込穴１６ａ，１６ｄが同心状に形成されている。このため、上下の差込穴１６ａ，１６ｄを通してフレーム１６の上下が貫通されている。
【００３６】
そして、アダプタ３には、下側の差込穴１６ｄを通過して外部に露出する箇所にリモコン受信部２３が設けられるとともに、このリモコン受信部２３の周囲には補助照明用のＥＬ発光体２４が同心状に配置されている。なお、見栄えを良くするために、リモコン受信部２３および補助照明用のＥＬ発光体２４を有するアダプタ３を半透明のカバー部材２６によって覆うようにしてもよい。
【００３７】
また、発光部４をアダプタ３に装着した状態では、発光部４の中央を貫通してアダプタ３が位置するようになるので、アダプタ３を囲む外側の各ＥＬ発光体１７にそれぞれ直流電源を供給する必要が生じる。このため、この実施の形態４では、各給電電極１２，１３に対して左右からそれぞれ受電電極２１ａ，２１ｂ、２２ａ，２２ｂが同時に接触するように構成されている。
【００３８】
このように、この実施の形態５では、差込穴１６ａ，１６ｄがフレーム１６の上下を貫通して形成されているので、発光部４をアダプタ３に一層簡単に装着することができる。また、リモコン信号によって発光部４の点灯、消灯、調光を遠隔操作できるだけでなく、補助照明用のＥＬ発光体２４をナツメ球のように使用できるので便利である。その他の構成、および作用効果は、実施の形態１の場合と同様であるから、ここでは詳しい説明は省略する。
【図面の簡単な説明】
【００３９】
【図１】本発明の実施の形態１におけるＥＬ照明装置の断面図である。
【図２】同装置の一部を拡大して示す断面図である。
【図３】本発明の実施の形態２におけるＥＬ照明装置の断面図である。
【図４】本発明の実施の形態３におけるＥＬ照明装置の断面図である。
【図５】本発明の実施の形態４におけるＥＬ照明装置の断面図である。
【符号の説明】
【００４０】
１    壁面
２    ブラケット
３    アダプタ
４    発光部
７    ケース
８    給電端子
１０    連結端子
１１    電源変換部
１２    給電電極
１３    給電電極
１６    フレーム
１６ａ  差込穴
１６ｄ  差込穴
１７    ＥＬ発光体
１８    係止機構
１９    ロック部材
２０    付勢部材
２１    受電端子
２２    受電端子
２３    リモコン受信部
２４    補助照明用のＥＬ発光体
【図１】
2009129766.tif 000003
【図２】
2009129766.tif 000004
【図３】
2009129766.tif 000005
【図４】
2009129766.tif 000006
【図５】
2009129766.tif 000007